(57)【要約】【課題】出力周波数の高い区間では、ソフトウェア過電流抑制レベルを定数に維持し、出力周波数の低い区間では、ソフトウェア過電流抑制レベルを上げて過負荷性能を向上させるインバータ制御方法を提供する。【手段】本発明の一実施形態の方法は、インバータの出力電流を検出して、出力電流の出力周波数によってソフトウェア過電流抑制レベルを決定する。【選択図】図８
2018164392.tif 000002
【特許請求の範囲】
【請求項１】
インバータの出力電流を検出する段階；
前記出力電流の出力周波数によってソフトウェア過電流抑制レベルを決定する段階；及び、
前記インバータの前記出力電流が前記ソフトウェア過電流抑制レベルより大きい場合、前記出力周波数を減殺する段階を含むインバータ制御方法。
【請求項２】
前記ソフトウェア過電流抑制レベルを決定する段階は、
前記出力電流の前記出力周波数が予め定めた第１周波数より大きい場合、前記インバータの定格電流の第１比率で前記ソフトウェア過電流抑制レベルを決定する、請求項１に記載のインバータ制御方法。
【請求項３】
前記ソフトウェア過電流抑制レベルを決定する段階は、
前記出力電流の前記出力周波数が前記第１周波数より小さい第２周波数より小さい場合、前記インバータの定格電流の前記第１比率より大きい第２比率で前記ソフトウェア過電流抑制レベルを決定する、請求項２に記載のインバータ制御方法。
【請求項４】
前記ソフトウェア過電流抑制レベルを決定する段階は、
前記出力電流の前記出力周波数が前記第１周波数より小さくて前記第２周波数より大きい場合、前記第１比率と前記第２比率を線状に連結する連続関数を利用して、前記ソフトウェア過電流抑制レベルを決定する、請求項３に記載のインバータ制御方法。
【請求項５】
前記ソフトウェア過電流抑制レベルを決定する段階は、
前記インバータの前記出力電流の不平衡の度合いに基づいて、前記出力周波数に対する関数をモデリングして、前記ソフトウェア過電流抑制レベルを決定する、請求項１〜請求項４項に記載のインバータ制御方法。
【発明の詳細な説明】
【技術分野】
【０００１】
本発明は、インバータ制御方法に関する。
【背景技術】
【０００２】
一般に、インバータは、商用交流電源を入力とし、これを直流電源に変換した後、さらに電動機に適した交流電源に変換して電動機に供給する電力変換装置である。かかるインバータは、電動機を効率的に制御することで、電動機の消耗電力を減少してエネルギー効率を高める。
【０００３】
電動機のすべり周波数は、インバータで生成する指令周波数と電動機の回転速度との差に定義されて、電動機のすべり周波数が大きく増加すれば、過電流が発生してインバータまたは電動機に焼損が生じるようになる。
【０００４】
一般に、インバータは、過電流に対する保護対策が立てられているため、過電流が発生すれば、インバータ制御器がこれを抑制するかまたはトリップを発生させて、インバータまたは電動機を保護する。
【０００５】
しかし、従来の過電流抑制によるインバータ制御方法では、出力周波数に関係なく一定基準を適用するため、出力周波数が低い場合には過負荷性能を引き出せない問題点がある。
【発明の概要】
【発明が解決しようとする課題】
【０００６】
本発明が解決しようとする技術的課題は、出力周波数の高い区間では、ソフトウェア過電流抑制レベルを定数に維持し、出力周波数の低い区間では、ソフトウェア過電流抑制レベルを上げて過負荷性能を向上させるインバータ制御方法を提供することである。
【課題を解決するための手段】
【０００７】
上記のような技術的課題を解決するため本発明の一実施形態のインバータ制御方法は、インバータの出力電流を検出する段階；出力電流の出力周波数によってソフトウェア過電流抑制レベルを決定する段階；及び前記インバータの出力電流が前記ソフトウェア過電流抑制レベルより大きい場合、出力周波数を減殺する段階を含んでもよい。
【０００８】
本発明の一実施形態において、前記決定する段階は、出力電流の出力周波数が所定の第１周波数より大きい場合、前記インバータの定格電流の第１比率で前記ソフトウェア過電流抑制レベルを決定することができる。
【０００９】
本発明の一実施形態において、前記決定する段階は、出力電流の出力周波数が前記第１周波数より小さい第２周波数より小さい場合、前記第１比率より大きい前記インバータの定格電流の第２比率で前記ソフトウェア過電流抑制レベルを決定することができる。
【００１０】
本発明の一実施形態において、前記決定する段階は、出力電流の出力周波数が前記第１周波数より小さくて前記第２周波数より大きい場合、前記第１比率と前記第２比率を線状に連結する連続関数で前記ソフトウェア過電流抑制レベルを決定することができる。
【００１１】
本発明の一実施形態において、前記決定する段階は、前記インバータの出力電流の不平衡の度合いを利用して、出力周波数に対する関数でモデリングして、前記ソフトウェア過電流抑制レベルを決定することができる。
【発明の効果】
【００１２】
上記のような本発明は、出力周波数が低い水準でＳ／Ｗ  ＯＣＳレベルを上げることで過負荷性能を向上させる効果がある。
【図面の簡単な説明】
【００１３】
【図１】本発明の一実施形態のインバータ制御方法が適用されるインバータシステムの概略的な構成図である。
【図２】過電流保護のためのインバータ制御時の電流レベルを示したものである。
【図３】Ｓ／Ｗ  ＯＣＳ動作の際、出力周波数の減少によるすべり周波数およびトルクの変化を説明するためのグラフである。
【図４】誘導電動機のすべり周波数と出力トルクおよび入力電流の関係を説明するためのグラフである。
【図５】単相入力型インバータにおける出力電流の不平衡を説明するための波形図である。
【図６ａ】出力周波数による出力電流の不均衡を説明するための一例示図である。
【図６ｂ】出力周波数による出力電流の不均衡を説明するための一例示図である。
【図７ａ】入力電源によるリプル電圧の大きさを説明するための一例示図である。
【図７ｂ】入力電源によるリプル電圧の大きさを説明するための一例示図である。
【図８】本発明の一実施形態に従ってソフトウェア過電流抑制動作を制御する過程を説明するための一例示図である。
【図９】本発明の一実施形態のインバータ制御方法を説明するための一実施形態の流れ図である。
【図１０】本発明の別の実施形態に従ってソフトウェア過電流抑制動作を制御する過程を説明するための一例示図である。
【発明を実施するための形態】
【００１４】
本発明の構成および効果を十分に理解するため添付図面を参照して本発明の好ましい実施形態を説明する。しかし、本発明は、以下に開示される実施形態に限定されるものではなく、様々な形態に具現されて多様な変更を加えることができる。但し、本実施形態に対する説明は、本発明の開示を完全なものにして、本発明が属する技術分野における通常の知識を有する者に発明の範疇を完全に知らせるために提供されるものである。添付図面における構成要素は、説明の便宜のためにその大きさを実際より拡大して示しており、各構成要素の比率は、誇張されるか縮小されてもよい。
【００１５】
ある構成要素が他の構成要素の「上に」あるか「接して」いると記載された場合、他の構成要素の上に直接相接しているか又は連結されていてもよいが、中間にさらに他の構成要素が存在できると理解しなければならない。一方、ある構成要素が他の構成要素の「真上に」あるか「直接接して」いると記載された場合は、中間にさらに他の構成要素は存在しないと理解されてもよい。構成要素間の関係を説明する別の表現、例えば「〜間に」や「直接〜の間に」等も同様に解釈される。
【００１６】
「第１」、「第２」等の用語は、多様な構成要素を説明するに使われるが、上記構成要素は、上記用語によって限定されてはならない。上記用語は、一つの構成要素を他の構成要素から区別する目的でのみ使うことができる。例えば、本発明の権利範囲を脱しないながら「第１の構成要素」は「第２の構成要素」に命名されてもよいし、同様に「第２の構成要素」も「第１の構成要素」に命名されてもよい。
【００１７】
単数の表現は、文脈上明白に別途表現しない限り、複数の表現を含む。「含む」 又は「有する」等の用語は、明細書上に記載された特徴、数字、段階、動作、構成要素、部分品、又はこれらを組み合わせたものが存在することを指定するためであり、一つ又はそれ以上の別の特徴や数字、段階、動作、構成要素、部分品、又はこれらを組み合わせたものが加わると解釈されてもよい。
【００１８】
本発明の実施形態において使われる用語は、別途定義されない限り、該技術分野における通常の知識を有する者に通常に知られた意味に解釈することができる。
【００１９】
以下、添付図面を参照して本発明の好ましい実施形態を説明することで、本発明を詳説する。
【００２０】
図１は、本発明の一実施形態のインバータ制御方法が適用されるインバータシステムの概略的な構成図である。
【００２１】
図面に示されたように、本発明の一実施形態のインバータ制御方法が適用されるシステムは、３相電源３がインバータ２に印加されて、インバータ２の出力が電動機４に印加されるものであって、インバータ２の３相出力電流が検出部５によって検出されて制御部１に印加されれば、パルス幅変造（Ｐｕｌｓｅ  Ｗｉｄｔｈ  Ｍｏｄｕｌａｔｉｏｎ、ＰＷＭ）制御信号がインバータ２のインバータ部２Ｃに出力される。
【００２２】
インバータ２は、３相電源３からＡＣ電源の入力を受けて、整流部２ＡがこのようなＡＣ電圧をＤＣ電圧に変換して、直流リンクキャパシタ２Ｂが直流リンク電圧に貯蔵した後、インバータ部２Ｃが制御部１のＰＷＭ制御信号に従ってＡＣ電圧に変換して電動機４に出力する。
【００２３】
制御部１から出力されるＰＷＭ制御信号は、インバータ部２Ｃの複数のスイチング素子のオンオフを制御するものであって、これによりインバータ部２Ｃは、電動機４に所定の出力周波数を有する交流電圧を出力することができる。
【００２４】
電動機４のすべり周波数は、インバータ２で生成する指令周波数と電動機４の回転速度との差に定義されて、電動機４のすべり周波数が大きく増加すれば、過電流が発生してインバータ２または電動機４に焼損が生じるようになる。一般に、インバータ２は、過電流に対する保護対策が立てられているため、過電流が発生すれば、これを制御部１が抑制するかまたはトリップを発生させて、インバータ２または電動機４を保護することができる。
【００２５】
以下では、一般の過電流保護のためのインバータ制御方法を説明して、本発明の一実施形態のインバータ制御方法を説明する。
【００２６】
図２は、過電流保護のためのインバータ制御時の電流レベルを示したものであり、図３は、ソフトウェア過電流抑制動作の際に出力周波数の減少によるすべり周波数およびトルクの変化を説明するためのグラフで、図４は、誘導電動機のすべり周波数と出力トルクおよび入力電流の関係を説明するためのグラフである。
【００２７】
図２を参照すれば、電動機のすべり周波数を制御するソフトウェア過電流抑制（ｓｏｆｔｗａｒｅ  ｏｖｅｒ−ｃｕｒｒｅｎｔ  ｓｕｐｐｒｅｓｓｉｏｎ、Ｓ／Ｗ  ＯＣＳ）動作は、制御部１がインバータ出力電流をモニタリングして、インバータ出力電流がＳ／Ｗ  ＯＣＳレベル以上に上昇した場合、インバータ出力周波数を減殺して電動機のすべり周波数を減らすことである。Ｓ／Ｗ  ＯＣＳレベルは、一般にインバータの定格電流以上の固定したレベルである。
【００２８】
電動機４のすべり周波数は、次のような式に示すことができる。
【００２９】
【数１】
2018164392.tif 000003
【００３０】
このとき、ｓはすべり周波数であり、
2018164392.tif 000004
は同期速度で、Ｎは電動機速度を表す。
【００３１】
図３において３Ａは、既存の出力周波数のトルク−スリップ曲線を表して、３Ｂは、減少した出力周波数のトルク−スリップ曲線を表す。一般に、同期速度は、出力周波数に正比例するため出力周波数の減少によりすべり周波数が減少すれば、出力トルクが３Ｐ地点で一時的に増加し、同期速度が増加して出力周波数が元に戻れば、すべり周波数は、結果的に以前より減少することになる。すべり周波数が減少すれば、図４で確認できるように、出力電流の大きさは減少することになる。
【００３２】
Ｓ／Ｗ  ＯＣＳ動作の目的は、過電流によるインバータ２または電動機４の熱損傷を防ぐことである。電流による電動機４における熱発生は電動機４の出力に比例して、電動機４の出力はトルクと出力周波数の積に比例する。
【００３３】
一方、出力周波数が入力電圧周波数に近接する場合、整流部２Ａによる入力電圧整流過程で発生する電圧リプルが３相出力電圧のそれぞれの大きさに及ぶ影響が異なってくる。この場合、不平衡によって出力電流検出部５で検出した電流より、出力中に一相が大きくなり、一相に対する局所的な過電流が発生することがある。
【００３４】
図５は、単相入力型インバータにおける出力電流の不平衡を説明するための波形図である。図５において５Ａは、３相出力電流の不平衡を表すものである。
【００３５】
インバータは、出力周波数が小さい場合にも、大きい電流を熱損傷のおそれなく出力できるため過負荷性能を得ることができる。しかし、従来のように、Ｓ／Ｗ  ＯＣＳを出力周波数に関係なく一定のＳ／Ｗ  ＯＣＳレベルを基準とする場合、出力周波数が小さい場合に大きい電流を出力できないため、低周波帯域で過負荷性能を得ることができなかった。
【００３６】
出力周波数が大きくなれば、整流部のリプルによる出力電流３相間の不均衡が大きくなりやすい。単相入力を使うインバータの場合、３相入力を使う場合より特にそうであるが、電圧リプルが入力周波数の２倍の周期に発生するため、出力周波数が入力周波数に近接すれば、出力中に一相のピーク出力がリプルによる整流部電圧の高点および底点と同期化されるためである。
【００３７】
図６ａおよび図６ｂは、出力周波数による出力電流の不均衡を説明するための一例示図であって、図６ａは、出力周波数が１０Ｈｚである場合の単相入力型インバータにおける出力電流波形を示したものであり、図６ｂは、出力周波数が６０Ｈｚである場合の単相入力型インバータにおける出力電流波形を示したものである。図面に示されたように、出力周波数が高い場合、出力電流の不均衡が大きくなる。したがって、出力電流の不均衡により熱損傷リスクが大きくなる。
【００３８】
また、３相入力電源を整流する場合より単相入力電源を整流する場合が、リプル電圧がさらに大きくなるため相間不均衡が悪化する。
【００３９】
図７ａおよび図７ｂは、入力電源によるリプル電圧の大きさを説明するための一例示であって、図７ａは、単相入力型インバータの直流リンク電圧を示したものであり、図７ｂは、３相入力型インバータの直流リンク電圧を示したものである。図面に示されたように、単相入力型インバータの直流リンク電圧におけるリプル電圧の大きさ（７Ａ）が、３相入力型インバータの直流リンク電圧におけるリプル電圧の大きさ（７Ｂ）よりさらに大きいことが分かる。
【００４０】
したがって、出力電流の大きさが大きくなる方向に不均衡が生じた相の場合、他の相に比べて、過電流によって電力用半導体および導線、電動機巻線などに熱損傷が発生しやすいため、これを勘案して不均衡の度合いに比例してＳ／Ｗ  ＯＣＳレベルを低く取らなければならない。一方、出力周波数が相対的に小さい場合、リプル電圧の周波数は、出力周波数の数倍に大きくなり、出力相とリプル電圧間の同期化による不均衡は、相対的に少なくなる。また、出力トルクが一定である場合、出力周波数の減少によって出力は相対的に減少し、過電流による熱損傷可能性は減る。
【００４１】
結論的に、出力周波数に関係ない一定基準を使って過電流抑制を行う場合、出力周波数が高い場合のための保護機能は確保されるが、出力周波数の低い場合、この水準が不必要に高く、過負荷性能を引き出せなくなる問題点がある。誘導電動機の特性上、電動機起動の際、すなわち、出力周波数が低いときに大きいトルクと出力電流が必要であるため、低周波出力の過負荷性能が低下することは不適切であった。
【００４２】
したがって、本発明のインバータ制御方法は、出力周波数の高い区間では、ソフトウェア過電流抑制レベルを定数に維持し、出力周波数の低い区間では、ソフトウェア過電流抑制レベルを上げて過負荷性能を向上させることができる。
【００４３】
図８は、本発明の一実施形態に従ってソフトウェア過電流抑制動作を制御する過程を説明するための一例示図である。
【００４４】
図面に示されたように、本発明の一実施形態のインバータ制御方法は、インバータ２の出力電流における出力周波数を３つの区間に分けて、それぞれＳ／Ｗ  ＯＣＳレベルを変動させることができる。
【００４５】
すなわち、出力周波数が相対的に高い８Ｃ区間では（すなわち、出力周波数が ｆ２より大きい場合）、直流リンク電圧のリプル電圧によって出力相間不平衡が生じて、一相に局所的な過電流が発生する可能性があり、高い出力周波数によって電動機４の出力が高くなり発熱量が多くなる。したがって、８Ｃ区間では、Ｓ／Ｗ  ＯＣＳレベル（８Ｒ）を定数に低く設定して過電流保護性能を確保することができる。このとき、８Ｃ区間におけるＳ／Ｗ  ＯＣＳレベル（８Ｒ）は、従来のＳ／Ｗ  ＯＣＳレベルと同様であり、定格電流の約１６０％であってもよい。但し、これは例示的なものであり、本発明がこれに限定されるものではない。
【００４６】
また、出力周波数が一番低い区間８Ａでは（すなわち、出力周波数がｆ１より小さい場合）、前述した不均衡による局所的な過電流可能性が減少して、電動機４の出力も低い出力周波数によって低いため、Ｓ／Ｗ  ＯＣＳレベル（８Ｐ）を上げることで、さらに大きい出力電流も保護機能動作なく出力するようにできる。すなわち、８Ａ区間におけるＳ／Ｗ  ＯＣＳレベル（８Ｐ）は、従来のＳ／Ｗ  ＯＣＳレベルよりさらに大きくなり、例えば定格電流の約１８０％であってもよい。但し、これは例示的なものであり、本発明がこれに限定されるものではない。これによって、出力周波数が低い場合、過負荷機能を向上させることができる。
【００４７】
一方、出力周波数が中間区間８Ｂでは（すなわち、出力周波数がｆ１より大きくてｆ２より小さい場合）、Ｓ／Ｗ  ＯＣＳレベル（８Ｑ）を線状に減少させて連続関数になるようにすることができる。すなわち、８Ａ区間におけるＳ／Ｗ  ＯＣＳレベル（８Ｐ）から８Ｃ区間におけるＳ／Ｗ  ＯＣＳレベル（８Ｒ）まで線状に減少するようにＳ／Ｗ  ＯＣＳレベル（８Ｑ）を設定することができる。Ｓ／Ｗ  ＯＣＳレベルが連続関数ではない場合、出力周波数が区間の境界で微細に変化するとき、Ｓ／Ｗ  ＯＣＳレベルの不連続的な変化によって同じ大きさの出力電流に対して突然の電流抑制動作が行われるためである。
【００４８】
図９は、本発明の一実施形態のインバータ制御方法を説明するための一実施形態の流れ図である。
【００４９】
図面に示されたように、本発明の一実施形態のインバータ制御方法は、制御部１が出力電流検出部５から出力電流を受信して（Ｓ１１）、出力電流の出力周波数を確認することができる。
【００５０】
その後、制御部１は、出力周波数が所定のｆ２より大きい場合には（Ｓ１２）、Ｓ／Ｗ  ＯＣＳレベルを定格電流の１６０％に設定することができる（Ｓ１３）。但し、これは例示的なものであり、本発明がこれに限定されるものではなく、定格電流より大きいレベルに設定することができる。このとき、ｆ２は、例えば２０Ｈｚであってもよいが、本発明がこれに限定されるものではない。
【００５１】
Ｓ１２において出力周波数がｆ２より小さい場合、制御部１は、出力周波数がｆ２より小さいｆ１より小さいか確認することができる（Ｓ１４）。制御部１は、出力周波数がｆ１より小さい場合、Ｓ／Ｗ  ＯＣＳレベルを定格電流の１８０％に設定することができる（Ｓ１５）。但し、これは例示的なものであり、本発明がこれに限定されるものではなく、Ｓ１３において設定されたＳ／Ｗ  ＯＣＳレベルより大きいレベルに設定することができる。このとき、ｆ１は、例えば１０Ｈｚであってもよいが、本発明がこれに限定されるものではない。
【００５２】
Ｓ１４において出力周波数がｆ１より大きい場合、制御部１は、Ｓ／Ｗ  ＯＣＳレベルを（２００−２×出力周波数）に設定することができる（Ｓ１６）。この場合、前記例で設定した定格電流の１６０％と１８０％を線状に連結したことは、既に説明したとおりである。したがって、本発明が前記例に限定されるものではなく、各区間におけるレベルを線状に連結したことによって、その決定式は変更されてもよい。
【００５３】
その後、制御部１は、出力電流検出部１で検出した出力電流が上記設定したＳ／Ｗ  ＯＣＳレベルより大きくなるかをモニタリングして、出力電流がＳ／Ｗ  ＯＣＳレベルより大きくなる場合（Ｓ１７）、スリップ制御を行うことができる（Ｓ１８）。すなわち、制御部１は、インバータ２の出力周波数を減殺して電動機４のすべり周波数を減らすことができる。
【００５４】
このように、本発明は、出力周波数が低い水準でＳ／Ｗ  ＯＣＳレベルを上げることで過負荷性能を向上させることができる。
【００５５】
低い水準の出力周波数でＳ／Ｗ  ＯＣＳレベルを上げても、保護機能上に悪影響がない理由は、次のとおりである。
【００５６】
第一、当該水準ではリプル電圧の周波数が出力に比べて高くなり、出力相間不平衡の度合いが減ることになり、したがって、不平衡によって一相に流れる過電流が検出電圧に比べてさらに大きくなる場合を勘案して基準電流を低くする必要性が減るようになる。
【００５７】
第二、当該水準では出力周波数が低いため、出力周波数とトルクの積である出力も結果的に低い水準となり、配線の発熱が減少し、基準電流を低くする必要性が減るようになる。
【００５８】
本発明の場合、出力周波数が高くて、電動機４およびインバータで過電流による熱損傷可能性が大きくなる場合、低いＳ／Ｗ  ＯＣＳレベルを適用するため、過電流抑制動作性能は制限されない。
【００５９】
図１０は、本発明の別の実施形態に従ってソフトウェア過電流抑制動作を制御する過程を説明するための一例示図である。
【００６０】
図８の一実施形態では、出力周波数区間を３つに分けて、低い周波数帯域および高い周波数帯域ではＳ／Ｗ  ＯＣＳレベルを一定に維持して、中間周波数帯域で周波数が増加するほど線状に減少させるようにＳ／Ｗ  ＯＣＳレベルを設定（１０Ａ）したが、図１０の一実施形態によれば、制御部１は、出力電流の不平衡の度合い及びインバータ配線の発熱量などを利用して、出力周波数に対する関数でＳ／Ｗ  ＯＣＳレベルを１０Ｂのようにモデリングすることができる。
【００６１】
したがって、要求される熱特性と出力周波数を利用して、理想的な基準電流が出力される関数を導出することができる。
【００６２】
これによって、本発明のインバータ制御方法は、出力周波数の高い区間では、ソフトウェア過電流抑制レベルを維持し、出力周波数の低い区間では、ソフトウェア過電流抑制レベルを上げて過負荷性能を向上させることができる。
【００６３】
以上、本発明による実施形態を説明したが、これは例示的なものに過ぎず、当該分野における通常の知識を有する者であれば、これから多様な変形および均等な範囲の実施形態が可能である点を理解できる。したがって、本発明の真の技術的保護の範囲は、次の請求範囲によって定めるべきである。
【符号の説明】
【００６４】
１  制御部
２  インバータ
３  ３相電源
４  電動機
５  検出部
【図１】
2018164392.tif 000005
【図２】
2018164392.tif 000006
【図３】
2018164392.tif 000007
【図４】
2018164392.tif 000008
【図５】
2018164392.tif 000009
【図６ａ】
2018164392.tif 000010
【図６ｂ】
2018164392.tif 000011
【図７ａ】
2018164392.tif 000012
【図７ｂ】
2018164392.tif 000013
【図８】
2018164392.tif 000014
【図９】
2018164392.tif 000015
【図１０】
2018164392.tif 000016